(57)【要約】【目的】本発明は、屋根材として今までにない施工性を有し、かつ防水機能、断熱機能、結露防止機能、雪止機能、等を形成した屋根材に係るものである。【構成】化粧面４の水上側の先端を上方に突出した防水片１３と、防水片１３の先端を水上側に突出した嵌合片１３ａと、化粧面４の先端を水上側に突出した固定片１５を形成し、化粧面４の水下側の先端を上方に突出した垂直片６と、化粧面４の水下側の先端を下方に垂下した段差化粧面６ａと、化粧面４の先端近傍を下方に突出した最奥片８と、最奥片８の先端を水下側に突出した差込片９を形成した屋根材Ａである。【選択図】        図１
2004278082.tif 000002
【特許請求の範囲】
【請求項１】
化粧面の水上側の先端を上方に突出した防水片と、該防水片の先端を水上側に突出した嵌合片と、化粧面の先端を水上側に突出した固定片を形成し、化粧面の水下側の先端を上方に突出した垂直片と、化粧面の水下側の先端を下方に垂下した段差化粧面と、化粧面の先端近傍を下方に突出した最奥片と、該最奥片の先端を水下側に突出した差込片を形成したことを特徴とする屋根材。
【発明の詳細な説明】
【０００１】
【発明の属する技術分野】
本発明は、屋根材として今までにない施工性を有し、かつ防水機能、断熱機能、結露防止機能、雪止機能、等を形成した屋根材に係るものである。
【０００２】
【従来の技術】
一般に、金属製板材をロール成形、プレス成形等して加工した屋根材は数多く上市され、その形状は、所謂引っ掛け構造であった。また、屋根材は意匠性に乏しく、凹凸が大きい瓦屋根のような屋根材に比べて、屋根に積もった雪が簡単に軒下に落下する危険性があり、屋根材本体に雪止め機能を付加した屋根材を使用した屋根構造が開発されている。（例えば、特許文献１〜４参照）。
【０００３】
【特許文献１】
特開２００２−０３８６５８号公報
【特許文献２】
特開２００２−１５５６０２号公報
【特許文献３】
特開２００１−００３５２４号公報
【特許文献４】
特開２００２−１２１８６８号公報
【０００４】
【発明が解決しようとする課題】
しかしながら、特許文献１、２は引っ掛け構造であるために、勾配が急な屋根に使用した際に、連結した上段の屋根材が自重で落ちてくるので、上段の屋根材の固定部を固定具（釘）で固定するまで、屋根材が落ちないように手で押さえている必要があり、施工が大変であった。また、特許文献３、４の構造では、下段の屋根材に上段の屋根材を施工する際に、上段の屋根材に折り曲げ加工を施して屋根材を施工するものであった。このために、▲１▼施工性が悪い、▲２▼施工が難しい、▲３▼施工を確実にしないと雨漏れの原因になる、▲４▼屋根材表面に傷が付く、等の欠点があった。
【０００５】
【課題を解決するための手段】
本発明はこのような欠点を解決するために、化粧面の水上側の上端を上方に突出した防水片と、防水片の先端を水上側に突出した嵌合片と、化粧面の水上側の上端を水上側に突出した固定片を形成し、化粧面の水下側の先端を上方に突出した垂直片と、化粧面の水下側の先端を下方に垂下した段差化粧面と、化粧面の水下側の先端近傍を下方に突出した最奥片と、最奥片の先端を水下側に突出した差込片を形成した屋根材を提供するものである。
【０００６】
【発明の実施の形態】
以下に図面を用いて本発明に係る屋根材について詳細に説明する。図１は金属製屋根材Ｂと裏打材Ｃよりなる屋根材Ａの代表的一例を示す説明図、図２（ａ）、（ｂ）は屋根材Ａの施工状態を示す説明図、図３（ａ）、（ｂ）はジョイナＤ（Ｅはパッキング材）とその施工状態を示す説明図である。図中、αは下地、βは釘等の固定具を示している。なお、図３（ｂ）は図３（ａ）のａ−ａ部端面図である。
【０００７】
下地αは、新築の際は図２（ａ）、（ｂ）に示すように垂木１、野地板２、防水シート３（一点鎖線で示す）から構成した木造下地を示したものである。すなわち、垂木１上に野地板２を敷設し、野地板２上に防水シート３を配設した一般的な構造の下地αである。また、下地αとしてＨ形鋼、Ｉ形鋼、ミゾ形鋼、軽量ミゾ形鋼、リップ溝形鋼、等辺山形鋼、不等辺山形鋼、角形鋼（角パイプ）、円形鋼（円形パイプ）、等を使用した鉄骨下地でも良いものである。勿論、既存の屋根をそのまま改修する屋根の際には、これら下地α上に新生瓦や瓦棒等の既存屋根（図示せず）が形成された既存屋根構造が下地αとなるものである。勿論、防水シート３を形成しない下地αでも良いものである。
【０００８】
金属製屋根材Ｂは、例えば金属板（カラー鋼板、銅板、アルミニウム板、チタン板、ステンレス板、サンドイッチ鋼板、クラッド鋼板等）等をロール成形、プレス成形、押出成形、等によって形成したものである。勿論、屋根材Ａの表面材として、金属製屋根材Ｂの代わりに窯業系素材、もしくは合成樹脂材（プラスチック）、等で形成してもよいものである。
【０００９】
さらに説明すると、金属製屋根材Ｂは長尺板状であり、図１に示すように、略水平面状の化粧面４と、裏面５と、化粧面４の水下側の先端を上方に突出した垂直片６と、化粧面４の先端を下方に垂下した段差化粧面６ａと、段差化粧面６ａと化粧面４に沿って内側方に突出した上面７と、上面７の先端を下方に突出した最奥片８と、最奥片８の先端を水下側に突出した差込片９と、上面７と最奥片８と差込片９とから略コ字状の係合溝１０を形成し、段差化粧面６ａと差込片９間に挿入間隙１１を形成して雄型連結部１２としたものである。
【００１０】
また、図１に示すように、化粧面４の水上側端部には化粧面４の先端を上側に屈曲して形成した防水片１３と、防水片１３の先端を水上側に突出した嵌合片１３ａと、嵌合片１３ａの先端を水下側に突出した上面１４と、上面１４の先端を水上側に突出した固定片１５と、上面１４と固定面１５とから断面略コ字状に形成した前記差込片９と嵌合する嵌合溝１６を形成して雌型連結部１７を形成したものである。また、化粧面４の端部には図３（ｂ）に示すような係止片１８を形成し、図３（ａ）に示すジョイナＤの係合片１９に係止することにより屋根材Ａを下地α上に固定するものである。
【００１１】
また、図１において、段差化粧面６ａの高さをｔ、嵌合片１３ａの高さをＴ、段差化粧面６ａから差込片９間での距離をｈ、嵌合片１３ａの幅をＨとすると、ｔ≦Ｔ、ｈ＞Ｈの関係である。また、ｔ＝Ｔが下段の屋根材Ａと上段の屋根材Ａ間に間隙が形成されず、防水上有効である。なお、ｈ＝Ｈ＋５〜１０ｍｍ位が好ましい。
【００１２】
挿入間隙１１は、図２（ａ）に示すように挿入して屋根材Ａ同士を連結する際に、段差化粧面６ａが邪魔にならないように、嵌合片１３ａが係合溝１０内に挿入できるように形成したものである。
【００１３】
段差化粧面６ａは、段差を形成し屋根に重厚感を付与すると共に、内部に空間を形成し、直接、風雨が屋根材Ａの連結部に当たらないように形成すると共に、屋根材Ａ同士の連結の際に形成される連結部の隙間、所為、段差化粧面６ａの先端部分と、嵌合片１３ａの先端部分が上下に存在するような形状にすることにより、防水性を向上するものである。
【００１４】
嵌合片１３ａは、防水片１３の先端を水上側へ突出することにより、断面コ字状の嵌合溝１６を形成し、差込片９を嵌合溝１６に挿入することにより、屋根材Ａ同士を連結するものである。
【００１５】
裏打材Ｃは防水材、断熱材、吸音材、緩衝材、防火材、結露防止材、等として機能するものであり、不織布、合成樹脂製発泡シート（架橋化発泡ポリエチレンシート、等）、ロックウール、テックス（軟質繊維板）、ゴムシート、樹脂シート、等、あるいはこれらに遮音材、耐火材等を含浸、含有、混合、積層（一層、あるいは複数層）、サンドイッチ、等したものを使用することもできる。特に不織布は、縦糸と横糸を交差させて繊維から織物にする従来の方法と異なり、各種の繊維を接着剤等で結合した不織布等である。この不織布はまず繊維が平行に交差するか、また無秩序に配列された薄いフェルト状のものを接着剤で結合させるか、または主体となる繊維状態の中に別の熱可塑性繊維を混在させて、加熱および加圧して溶融し相互に結合させたりして作られたものである。勿論、素材自体に防水性の無いものには、樹脂材をコーティング、あるいは撥水剤、防水コーティング剤、等で防水機能を片面あるいは両面に付加したものである。
【００１６】
以上説明したのは本発明に係る屋根材の一実施例にすぎず、図４（ａ）〜（ｃ）〜図６（ａ）、（ｂ）に示すように形成することもできる。
【００１７】
Ｆは裏面材であり、金属材、あるいはアスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート等からなるものである。
【００１８】
【発明の効果】
以上説明したように、本発明に係る屋根材によれば、▲１▼先端に防水片を形成した嵌合片が、屋根材を落とし込み構造としても、防水性を維持できる。▲２▼勾配が急な屋根に使用しても、連結した上段の屋根材が自重で落ちてくることがないために、屋根材が落ちないように手で押さえている必要が無く、施工が楽である。▲３▼段差化粧面の形成により段差を形成し、屋根に重厚感を付与すると共に、内部に空間を形成し、直接、風雨が屋根材の連結部に当たらない。▲４▼段差化粧面が屋根材同士の連結の際に形成される連結部の隙間、所為、段差化粧面の先端部分と、嵌合片の先端部分が上下に存在形成するような形状にすることにより、防水性を向上する。▲５▼垂直片が雪止めの機能を具備するために、雪止金具施工による雨漏れの心配がない。▲６▼難しい雪止金具の施工がない。または少なくて済む。▲７▼落とし込み構造なので、雪が屋根に積もった際にはその加重により連結部がさらに強固に嵌合する構造であり、防水性、気密性が向上する。等の特徴、効果がある。
【図面の簡単な説明】
【図１】本発明に係る屋根材の代表的一例を示す説明図である。
【図２】本発明に係る屋根材の施工状態を示す説明図である。
【図３】本発明に係る屋根材の施工に使用するジョイナを示す説明図である。
【図４】本発明に係る屋根材のその他の実施例を示す説明図である。
【図５】本発明に係る屋根材のその他の実施例を示す説明図である。
【図６】本発明に係る屋根材のその他の実施例を示す説明図である。
【符号の説明】
α  下地
β  固定具
γ  空間
Ａ  屋根材
Ｂ  金属製屋根材
Ｃ  裏打材
Ｄ  ジョイナ
Ｅ  パッキング材
Ｆ  裏面材
１  垂木
２  野地板
３  防水シート
４  化粧面
５  裏面
６  垂直片
６ａ  段差化粧面
７  上面
８  最奥片
９  差込片
１０  係合溝
１１  挿入間隙
１２  雄型連結部
１３  防水片
１３ａ  嵌合片
１４  上面
１５  固定片
１６  嵌合溝
１７  雌型連結部
１８  係止片
１９  係合片
【図１】
2004278082.tif 000003
【図２】
2004278082.tif 000004
【図３】
2004278082.tif 000005
【図４】
2004278082.tif 000006
【図５】
2004278082.tif 000007
【図６】
2004278082.tif 000008